(57)【要約】【課題】無許可の撮影または録音を制限する記録機器、管理用通信機器および記録管理方法並びに記録制御システムを提供する。【解決手段】撮影管理機器１０からは、撮影管理領域通達信号Ｓ１が送信され、撮影管理領域１が形成される。撮影管理領域通達信号Ｓ１を受信した撮影機器１１は撮影管理状態となり、撮影が制限される。撮影機器１１は、撮影許可申請コマンドＳ２を撮影管理機器１０に対し送信し、撮影の許可を申請する。撮影管理機器１０は、受信した撮影機器１１の撮影許可の申請に関する信号を解析し、撮影の可否を判別する。撮影管理機器１０は、撮影可否レスポンスＳ３を、撮影機器１１に対し送信する。撮影管理機器１０からの信号が撮影の許可を示すものであれば撮影機器１１は撮影管理領域内１での撮影を行うことができる。【選択図】  図５
2006121287.tif 000002
【特許請求の範囲】
【請求項１】
通信機能を備えた記録機器において、
映像および／または音声の記録が制限されている領域で、上記記録の許可を申請する信号を管理用通信機器に送信する送信手段と、
上記管理用通信機器から送信される上記記録の可否を示す信号を受信する受信手段を備えることを特徴とする記録機器。
【請求項２】
請求項１に記載の記録機器において、
上記受信手段は、上記管理用通信機器から送信される上記記録の対象に関する付加情報をさらに受信する受信手段である記録機器。
【請求項３】
請求項１に記載の記録機器において、
上記記録の許可を申請する信号は、記録開始時に上記管理用通信機器に送信される記録機器。
【請求項４】
請求項１に記載の記録機器において、
さらに上記記録機器と着脱自在とされた記録媒体を備え、
上記送信手段は、上記記録媒体に格納されているデータをさらに送信する送信手段である記録機器。
【請求項５】
請求項４に記載の記録機器において、
上記データは、上記記録の許可に関するデータおよび／または課金データである記録機器。
【請求項６】
記録の可否を管理する管理用通信機器において、
映像および／または音声の記録が制限されている領域であることを示す信号を記録機器に送信する第１の送信手段と、
上記記録機器から送信される上記記録の許可を申請する信号を受信する受信手段と、
上記記録機器に、上記記録の可否を示す信号を送信する第２の送信手段を備えることを特徴とする管理用通信機器。
【請求項７】
請求項６に記載の管理用通信機器において、
上記第２の送信手段は、上記記録の対象に関する付加情報をさらに送信する送信手段である管理用通信機器。
【請求項８】
記録機器による映像および／または音声の記録の可否を管理する記録管理方法において、
上記記録を管理する管理用通信機器から上記記録機器に対し、上記記録が制限されている領域であることを示す信号を送信する第１の送信ステップと、
上記記録機器から上記管理用通信機器に対し、上記記録の許可を申請する信号を送信する第２の送信ステップと、
上記管理用通信機器から上記記録機器に対し、上記記録の可否を示す信号を送信する第３の送信ステップとからなり、
上記記録機器は、上記記録の可否を示す信号に応じて撮影動作を行うことを特徴とする記録管理方法。
【請求項９】
請求項８に記載の記録管理方法において、
上記記録の許可を申請する信号は、記録開始時に送信される記録管理方法。
【請求項１０】
請求項８に記載の記録管理方法において、
上記第２の送信ステップは、上記記録機器に着脱自在とされた記録媒体に格納されているデータをさらに送信する送信ステップである記録管理方法。
【請求項１１】
請求項１０に記載の記録管理方法において、
上記データは、上記記録の許可に関するデータおよび／または課金データである記録管理方法。
【請求項１２】
請求項８に記載の記録管理方法において、
上記第３の送信ステップは、上記記録の対象に関する付加情報をさらに送信する送信ステップである記録管理方法。
【請求項１３】
映像および／または音声の記録の可否を管理する管理用通信機器と通信機能を備えた記録機器からなる記録管理システムにおいて、
上記記録が制限されている領域であることを示す信号を上記記録機器に送信する第１の送信手段と、
上記記録機器から送信される上記記録の許可を申請する信号を受信する受信手段と、
上記記録機器に、上記記録の可否を示す信号を送信する第２の送信手段を備える管理用通信機器と、
上記記録が制限されている領域で、上記記録の許可を申請する信号を上記管理用通信機器に送信する送信手段と、
上記管理用通信機器から送信される上記記録の可否を示す信号を受信する受信手段を備える記録機器とからなることを特徴とする記録管理システム。
【請求項１４】
請求項１３に記載の記録管理システムにおいて、
上記記録機器の上記受信手段は、上記管理用通信機器から送信される上記記録の対象に関する付加情報をさらに受信する受信手段である記録管理システム。
【請求項１５】
請求項１３に記載の記録管理システムにおいて、
上記記録機器から送信される上記記録の許可を申請する信号は、記録開始時に送信される記録管理システム。
【請求項１６】
請求項１３に記載の記録管理システムにおいて、
上記記録機器は、上記記録機器と着脱自在とされた記録媒体を備え、
上記記録機器の上記送信手段は、上記記録媒体に格納されているデータをさらに送信する送信手段である記録管理システム。
【請求項１７】
請求項１６に記載の記録管理システムにおいて、
上記データは、記録の許可に関するデータおよび／または課金データである記録管理システム。
【請求項１８】
請求項１３に記載の記録管理システムにおいて、
上記第２の送信手段は、上記記録の対象に関する付加情報をさらに送信する送信手段である記録管理システム。
【発明の詳細な説明】
【技術分野】
【０００１】
この発明は、撮影または録音が制限されている領域において、無許可の撮影または録音を制限することに好適な記録機器、管理用通信機器および記録管理方法並びに記録管理システムに関する。
【背景技術】
【０００２】
近年、例えば、美術館や博物館、コンサート会場、講演会場などでは、視聴者が許可無く撮影または録音（以下、適宜、撮影と略す）することが禁止される場合がある。しかしながら、実際には撮影が禁止される場合でも、視聴者が勝手に撮影することは可能であった。
【０００３】
下記特許文献１には、視聴者が勝手に撮影することを防止するために、撮影の制限を管理する機器（以下、適宜、管理用通信機器と称する）から送信される撮影条件に関する信号を受信し、指定された撮影条件に基づいて撮影することができるようにした記録機器等に関する発明が記載されている。
【０００４】
【特許文献１】特開２００２−１１２２１４号公報
【発明の開示】
【発明が解決しようとする課題】
【０００５】
しかしながら、特許文献１に記載されている発明では、管理用通信機器により撮影の条件が指定されてしまうため、撮影機器側で撮影条件を細かく指定することが難しかった。例えば、撮影機器のユーザが「撮影枚数が少なくても解像度の高い写真をとることができる」との撮影条件を希望しても、管理用通信機器により一方的に指定された条件でしか撮影できなかった。
【０００６】
また、撮影機器毎の撮影の禁止／許可を管理用通信機器側で行うため、管理用通信機器の管理する情報が多くなり負担が大きくなってしまう。さらに、管理用通信機器から送信される信号を撮影機器側で受信できなかった場合に、ユーザが意図しない無許可撮影を行ってしまうおそれがあった。
【０００７】
したがって、撮影を行う機器（以下、適宜、記録機器と称する）の管理用通信機器による一方的な管理ではなく、管理用通信機器および記録機器間で双方向に信号の送受信を行い、撮影の制限を管理するシステムが望まれる。
【０００８】
また、特許文献１に記載されている発明では、管理用通信機器から送信される信号は、撮影条件や課金情報であり、撮影の対象とは関係のない情報であった。例えば、撮影の可否に関する信号に、撮影対象の展示品の情報や観光情報を付加して撮影機器に対し送信することができれば、ユーザはただ写真を撮るだけではなく、展示品にまつわる歴史的背景や、観光情報を知ることができる。
【０００９】
したがって、この発明の目的は、管理用通信機器と記録機器が相互に通信を行うことで撮影の条件をより細かく指定でき、さらに撮影許可に関する信号以外の情報の送受信を可能とした記録機器、管理用通信機器および記録管理方法並びに記録管理システムを提供することにある。
【課題を解決するための手段】
【００１０】
上述した課題を解決するために、請求項１に係る発明は、通信機能を備えた記録機器において、映像および／または音声の記録が制限されている領域で、記録の許可を申請する信号を管理用通信機器に送信する送信手段と、管理用通信機器から送信される記録の可否を示す信号を受信する受信手段を備えることを特徴とする記録機器である。
【００１１】
請求項６に係る発明は、記録の可否を管理する管理用通信機器において、映像および／または音声の記録が制限されている領域であることを示す信号を記録機器に送信する第１の送信手段と、記録機器から送信される記録の許可を申請する信号を受信する受信手段と、記録機器に、記録の可否を示す信号を送信する第２の送信手段を備えることを特徴とする管理用通信機器である。
【００１２】
請求項８に係る発明は、記録機器による映像および／または音声の記録の可否を管理する記録管理方法において、記録を管理する管理用通信機器から記録機器に対し、記録が制限されている領域であることを示す信号を送信する第１の送信ステップと、記録機器から管理用通信機器に対し、記録の許可を申請する信号を送信する第２の送信ステップと、管理用通信機器から記録機器に対し、記録の可否を示す信号を送信する第３の送信ステップとからなり、記録機器は、記録の可否を示す信号に応じて撮影動作を行うことを特徴とする記録管理方法である。
【００１３】
請求項１３に係る発明は、映像および／または音声の記録の可否を管理する管理用通信機器と通信機能を備えた記録機器からなる記録管理システムにおいて、記録が制限されている領域であることを示す信号を記録機器に送信する第１の送信手段と、記録機器から送信される記録の許可を申請する信号を受信する受信手段と、記録機器に、記録の可否を示す信号を送信する第２の送信手段を備える管理用通信機器と、記録が制限されている領域で、記録の許可を申請する信号を管理用通信機器に送信する送信手段と、管理用通信機器から送信される記録の可否を示す信号を受信する受信手段を備える記録機器とからなることを特徴とする記録管理システムである。
【発明の効果】
【００１４】
この発明によれば、管理用通信機器と記録機器が相互に通信を行うことができ、撮影の条件をより細かく指定することが可能である。また、管理用通信機器と記録機器が相互に通信を行うことで、撮影の管理をより確実に行うことができる。
【００１５】
この発明によれば、撮影の許可／禁止の状態を記録機器側で管理するため、管理用通信機器にかかる負担を軽くすることができる。また、撮影の許可／禁止の状態をユーザに容易に知らせることができる。
【００１６】
この発明によれば、記録機器で管理用通信機器から送信される記録の可否を示す信号が解析され、撮影が許可された場合に撮影処理を行うため、ユーザの意図しない無許可の撮影を防ぐことができる。
【００１７】
この発明によれば、撮影が許可された場合に、管理用通信機器から撮影の対象に関する情報が送信されるため、記録機器のユーザは撮影の対象に関する付加情報も記録することができる。
【発明を実施するための最良の形態】
【００１８】
以下、図面を参照しながらこの発明の一実施形態について説明する。なお、以下に示す一実施形態では、記録機器の一例として撮影機器として用い、また管理用通信機器の一例として撮影管理機器を用いて説明する。
【００１９】
図１は、この発明の概要を示す。例えば美術館や博物館などの特定の場所に、撮影を制限する撮影管理領域１が形成されている。撮影管理領域１には、撮影管理領域１内の撮影機器１１による撮影を管理する撮影管理機器１０が設けられる。
【００２０】
撮影管理機器は複数設け、それぞれ撮影管理領域を形成してもよい。また、特に撮影を制限したい場所だけに撮影管理機器を設けることで、撮影が制限される場所と、自由に撮影できる場所を区分けすることもできる。
【００２１】
撮影機器１１は、例えば通信機能を備えたディジタルカメラ、カメラ機能付き携帯電話、カメラ付きＰＤＡ（Personal Digital Assistants）などである。また、静止画だけでなく動画を撮ることができるビデオカメラ、カムコーダ（カメラアンドレコーダを略した用語）も含まれる。
【００２２】
撮影管理機器１０および撮影機器１１は相互に通信可能とされている。通信方式としては、例えば、ＩＥＥＥ（Institute of Electrical and Electronics Engineers）802.11ｂ等の無線ＬＡＮ（Local Area Network）、ブルートゥース、赤外線通信が用いられる。
【００２３】
図２に示すように、撮影管理機器１０からは撮影機器１１が属する場所が撮影管理領域１内であることを示す信号（以下、適宜、撮影管理領域通達信号Ｓ１と称する）が送信される。撮影管理領域通達信号Ｓ１は、受信機器を特定しない信号（ブロードキャストとも称される）として送信され、この撮影管理領域通達信号Ｓ１が届く範囲が、撮影管理領域１となる。したがって、上述したような通信方式の中で、最大通信距離が撮影管理領域１をカバーできる通信方式が選択される。
【００２４】
撮影管理領域通達信号Ｓ１を受信した撮影機器１１は撮影管理状態となり、撮影管理領域１内では、自由に撮影することができなくなる。
【００２５】
図３は、この発明の一実施形態における撮影管理機器１０の構成の一例を示す。撮影管理機器１０の各部は制御コントローラにより制御され、各制御コントローラは図示しないＣＰＵ(Central Processing Unit)により制御される。
【００２６】
撮影管理機器１０には、撮影管理機器１０の動作状態、撮影の条件等をユーザに呈示するＬＣＤ（Liquid Crystal Display）などの表示装置２５および表示装置２５を制御する表示制御コントローラ２６が設けられる。さらに、撮影管理機器１０には、ユーザにより各種情報が入力される入力装置２７および入力装置２７を制御する入力制御コントローラ２８が設けられる。入力装置２７は、例えば、ボタン、タッチパネルなどである。
【００２７】
撮影管理機器１０には信号を送受信するためのアンテナ２９が設けられる。アンテナ２９は、撮影管理機器１０に内蔵された構成としても良い。アンテナ２９で受信された信号は、無線インターフェース（Ｉ／Ｆ）３０を介し、無線制御コントローラ３１に供給される。無線制御コントローラ３１では、例えば、受信した信号の復調処理などが行われる。また、撮影管理機器１０から送信される信号は、無線制御コントローラ３１で、例えば変調処理がなされ、無線Ｉ／Ｆ３０を介し、アンテナ２９から送信される。
【００２８】
なお、撮影機器を特定しない撮影管理領域通達信号Ｓ１を送信する手段（第１の送信手段）と、後述する特定の撮影機器に対する撮影可否レスポンスを送信する手段（第２の送信手段）は、別個に設けても良いし、一体とされた構成としても良い。
【００２９】
撮影管理機器１０から送信される撮影管理領域通達信号Ｓ１や撮影許可申請に対する応答などは撮影管理コントローラ３２により管理される。すなわち、撮影管理コントローラ３２では、撮影管理領域通達信号Ｓ１を生成し、また撮影機器１１から撮影許可の申請があった場合に、撮影の可否を判別し、後述する撮影の可否等に関する信号を生成する。
【００３０】
参照符号３７は記録部を示す。記録部３７は、撮影管理機器１０の内部に設けられ、例えば、ＣＰＵが実行するプログラム等が格納されたＲＯＭ(Reed Only Memory)、書き換え可能なメモリであるＲＡＭ(Random Access Memory)、各種データを蓄積するＨＤＤ（Hard Disk Drive）などにより構成される。また、記録部３７に記録するデータを所定のフォーマットに変換する等の処理を行う記録部制御コントローラ３８が設けられる。
【００３１】
さらに、撮影管理機器１０には通信制御コントローラ３３により制御される通信Ｉ／Ｆ３４が設けられ、電話回線やインターネットとの接続が可能とされている。また、図示しないが、例えばパーソナルコンピュータと接続可能な外部Ｉ／Ｆを設けても良い。
【００３２】
上述した撮影管理機器１０の各部はバス３５により接続されているため、ＣＰＵによる各制御コントローラの制御が可能とされ、また相互に信号の送受が可能とされている。なお、撮影管理機器１０は、電源部３６の操作によりオン／オフされる。
【００３３】
図４は、この発明の一実施形態における撮影機器１１の構成の一例を示す。撮影機器１１の各部は、制御コントローラによりそれぞれ制御され、各制御コントローラはバス４１を介して図示しないＣＰＵにより制御される。
【００３４】
撮影機器１１には、例えばＬＣＤ（Liquid Crystal Display）などの表示装置４４が設けられる。表示装置４４には、被写体の画像、メニューモードや各モードに対応する画像、撮影画像のスライドショーなどの情報が表示される。表示装置４４は、表示制御コントローラ４５により制御される。表示制御コントローラ４５では、所定の画像を表示装置４４に表示するための信号処理（例えば、Ａ／Ｄ(Analog to Digital)変換）がなされる。
【００３５】
入力装置４６は、例えば、シャッターボタン、十字キーなどの複数の入力手段であり、入力装置４６に入力された操作は入力制御コントローラ４７により検出されて所定の動作が行われる。例えば、入力装置４６にメニューモードを表示するための入力がなされると、入力制御コントローラ４７により検出され、表示装置４４にはメニューモードが表示される。ユーザは、メニューモードから所望のメニューモード（例えば撮影モードなど）を選択し、さらに十字キーを操作することで、所望の機能（例えば高画質モードなど）を選択する。
【００３６】
ここで撮影処理について説明する。カメラ制御コントローラ４９はＣＰＵの制御によりカメラ部４８を制御し、撮影動作を行う。カメラ部４８は、例えば、ＣＣＤ(Charge Coupled Device)やＣＭＯＳ（Complementary Metal Oxide Semiconductor）などの撮像素子であり、カメラ部４８により被写体情報は電気信号へと変換される。
【００３７】
変換された電気信号は、カメラ制御コントローラ４９に供給され、カメラ制御コントローラ４９に設けられた図示しない信号処理部で、例えば、雑音低減処理、輝度補正処理、欠陥補正処理、色補正、高精細化処理などの所定の信号処理がなされる。
【００３８】
信号処理がなされた画像信号は、例えば、ＪＰＥＧ(Joint Photographic Coding Expert Group)方式により圧縮され、指定された記録先に記録される。記録先は、例えば、撮影装置１１内に設けられた書き換え可能なメモリであるＲＡＭ(Random Access Memory)（図示しない）や撮影機器１１に着脱可能とされた外部記録媒体５４に記録され、保存される。外部記録媒体５４は、例えば、半導体メモリ、書き込み可能な光ディスクなどであり、外部記録媒体制御コントローラ５５では、外部記録媒体の種類に応じたデータのフォーマット化処理などが行われる。
【００３９】
また、撮影機器１１には撮影管理コントローラ５０が設けられる。撮影管理コントローラ５０では、撮影管理機器１０に対し送信する信号を生成し、また、撮影管理機器１０から受信した信号を解析する処理が行われる。
【００４０】
撮影機器１１にはアンテナ５１が設けられる。アンテナ５１は撮影機器１１に内蔵された構成としても良い。アンテナ５１で受信された信号は、無線インターフェース（Ｉ／Ｆ）５２を介し、無線制御コントローラ５３に供給される。無線制御コントローラ５３では、例えば、受信した信号の復調処理などが行われる。また、撮影機器１１から送信される信号は、無線制御コントローラ５３で、例えば変調処理がなされ、無線Ｉ／Ｆ５２を介し、アンテナ５１から送信される。
【００４１】
撮影機器１１は、電源コントローラ４３により制御される電源部４２によりオン／オフされる。また、図示しないが、例えば、パーソナルコンピュータやプリンタと接続できる外部Ｉ／Ｆを設けてもよい。
【００４２】
図５は、この一実施形態における撮影管理機器１０および撮影機器１１間の通信を示す。撮影管理機器１０は、ブロードキャスト送信による撮影管理領域通達信号Ｓ１により、撮影管理領域１内にある撮影機器１１に対し撮影管理領域である旨を通達する。
【００４３】
撮影管理領域通達信号Ｓ１を受信した撮影機器１１は撮影管理状態となり、自由な撮影が制限される。撮影管理領域通達信号Ｓ１は、撮影機器１１の撮影管理コントローラ５０により解析され、撮影が制限される旨の信号がＣＰＵに供給される。撮影が制限される旨の信号が供給されたＣＰＵでは、撮影処理のための指示信号を送出することが制限される。また、撮影管理領域通達信号Ｓ１には撮影管理機器毎の固有番号情報が含まれているため、撮影機器１１はどの撮影管理領域に入ったのかを識別できる。
【００４４】
撮影機器１１のユーザは撮影管理領域１内で撮影を希望する場合は、撮影管理機器１０に対して撮影許可申請コマンドＳ２を送信する。撮影機器１１から撮影許可申請コマンドＳ２を送信するタイミングは、ユーザの操作によって送信してもよいし、撮影機器１１で撮影管理領域通達信号Ｓ１を受信してから自動的に撮影許可申請コマンドＳ２を送信するようにしてもよい。
【００４５】
また、撮影開始時に撮影許可申請コマンドＳ２を送信するようにしても良い。例えば、シャッター押下時、オートフォーカス開始時、レンズカバー開放時などのタイミングで撮影許可申請コマンドＳ２が送信される。このように、撮影開始時に撮影許可申請コマンドＳ２を送信することで、撮影しながら許可申請を行うことができ、撮影管理機器１０と通信を行うための特別な操作は不要となる。
【００４６】
ここで撮影許可申請コマンドＳ２について説明する。図６Ａは、この発明の一実施形態における撮影許可申請コマンドＳ２の一例を示す。撮影許可申請コマンドＳ２は、宛先を示す撮影管理機器固有番号、コマンドコードを示す撮影許可申請、付加情報を示す撮影許可番号、送信元を示す撮影機器固有番号の情報からなる。
【００４７】
宛先となる撮影管理機器固有番号は、撮影管理機器毎に割り振られた番号であり、複数の撮影管理機器が設置された場合の識別番号となる。
【００４８】
撮影許可番号は、撮影機器１１が事前に取得した番号であり、撮影管理機器１０および撮影機器１１の双方で管理される。撮影許可番号は、例えば、料金の支払いをすることで交付され、番号を入力することで撮影許可申請コマンドＳ２に付加される。
【００４９】
申請コマンドＳ２を受信した撮影管理機器１０は、申請コマンドＳ２に含まれる撮影許可番号と、撮影管理機器１０が有する撮影許可番号を照合し、撮影の可否を判断する。撮影許可番号が欠如している場合や誤っている場合は、撮影は許可されない。撮影管理機器１０には、撮影許可番号を事前に登録してもよく、また、外部で発行された撮影許可番号を外部バスを通じて入手できるようにしてもよい。このように、撮影管理機器１０では、撮影許可番号の管理を行えばよく、撮影の管理の負担は従来に比べ軽くすることができる。
【００５０】
撮影管理機器１０は、撮影の可否を判断し、撮影機器１１に対し、撮影可否レスポンスＳ３を送信する。
【００５１】
図６Ｂは、この一実施形態における撮影可否レスポンスＳ３の一例を示す。レスポンスの宛先は、撮影許可申請コマンドＳ２の送信元に含まれる撮影機器固有番号である。コードは撮影の可否に関する情報、付加情報は撮影許可番号、送信元は撮影管理機器固有番号が含まれる。
【００５２】
撮影可否レスポンスＳ３を受信した撮影機器１１では、撮影管理コントローラ５０でレスポンスＳ３の内容を解析し、撮影の可否をＣＰＵに伝える。ＣＰＵでは、撮影が許可された場合はカメラ制御コントローラ４９を制御して、適宜、撮影処理を実行する。撮影が拒否された場合は、撮影処理は禁止される。なお、撮影が拒否された場合は、その旨のメッセージを表示装置４４に表示してもよい。
【００５３】
申請コマンドＳ２および撮影可否レスポンスＳ３の変形例について説明する。撮影管理機器１０および撮影機器１１は上述した一実施形態で説明したものと同様なので、重複した説明を避けるため、記載を省略する。
【００５４】
第１の変形例では、撮影管理機器１０より送信される撮影可否レスポンスＳ３に撮影条件が含まれる。撮影条件は、例えば、撮影枚数、撮影画像の解像度、動画の撮影時間などである。
【００５５】
撮影可否レスポンスＳ３は、撮影管理コントローラ５０で解析され、解析された撮影許可と撮影条件に関する信号がＣＰＵに伝達される。例えば、撮影条件が、撮影枚数の場合は、図示しないメモリに撮影可能枚数が記憶され、また、表示装置４４に残りの撮影可能枚数が表示される。撮影枚数が指定された撮影可能枚数に達すると、ＣＰＵは撮影機器１１が有する撮影許可番号を消去する処理を行うようにしてもよい。
【００５６】
また、撮影条件が例えば「低解像度による撮影のみ許可する」である場合は、撮影処理時にＣＰＵはカメラ制御コントローラ４９を制御して、低解像度モードによる撮影を行うようにされる。
【００５７】
次に第２の変形例について説明する。第２の変形例では、申請コマンドＳ２に撮影許可情報や、所定の料金を支払い済みであることを示す課金情報が含まれる。例えば、美術館の入口で所定の料金の支払いをして、撮影機器に適合する外部記録媒体を入手する。
【００５８】
撮影機器１１では、撮影許可申請コマンドＳ２の送信時に外部記録媒体から撮影許可情報および課金情報のデータを読出す。図７に示すように、撮影管理コントローラ５０で生成される撮影許可申請コマンドＳ２に許可情報および課金情報のデータを含めて、撮影管理機器１０に対し送信する。
【００５９】
撮影管理機器１０では、受信した撮影許可申請コマンドＳ２を撮影管理コントローラ３２で解析する。撮影許可申請コマンドＳ２には、すでに撮影許可情報が含まれているため、撮影管理機器１０は、撮影の許可を示すレスポンスを撮影機器１１に送信する。
【００６０】
外部記録媒体に含まれるデータは、撮影許可情報および課金情報のいずれか一方でもよい。例えば、外部記録媒体に含まれるデータが、課金情報である場合は、撮影管理機器１０は、課金情報に応じた撮影条件を指定することもできる。
【００６１】
すなわち、課金情報を含む撮影許可申請コマンドＳ２を受信した撮影管理機器１０は、課金情報に含まれる料金の額に応じた撮影条件を指定して、撮影可否レスポンスＳ３を撮影機器１１に対して送信する。具体的には、課金情報に含まれる料金の額に応じ、撮影枚数を設定したり、動画を何分間撮影できる旨の撮影条件を設定できる。
【００６２】
次に第３の変形例について説明する。図８に示すように、第３の変形例では、撮影可否レスポンスＳ３に、撮影許可番号のほかに付加情報が含まれる。付加情報は、例えば、観光情報、画像データ、展示物の説明、歌詞データなどである。例えば、美術館における展示品Ａの撮影を管理する撮影管理機器では、展示品Ａの撮影を許可した場合に、撮影の許可を示すレスポンスに展示品Ａに関するデータ（例えば、歴史的背景や作者など）を付加することができる。
【００６３】
撮影機器では、受信したレスポンスに含まれる展示品Ａに関するデータを解析し、ＲＡＭや記録メディアに一時的に格納する。撮影機器により展示品Ａの撮影が行われた場合は、展示品Ａの画像データが格納された画像データファイルに、ＲＡＭや記録メディアに格納された展示品Ａに関するデータを併せて格納するようにしてもよい。これにより、作成された画像ファイルに、画像データと、撮影対象に関する情報が関連付けて記録され、ユーザは画像だけでなく、画像の対象に関する各種の情報を知ることができ、また記録できる。
【００６４】
この発明は、この発明の要旨を逸脱しない範囲内でさまざまな変形や応用が可能であり、上述した一実施形態に限定されることはない。例えば、撮影許可番号に有効期限を設け、有効期限を過ぎた撮影許可番号は無効とし、抹消してもよい。これにより、同じ撮影許可番号を繰り返し利用した無許可の撮影を防止することができる。
【００６５】
また、上述した一実施形態では、撮影の制限を行う一例について説明したが、録音の制限に対しても同様にこの発明を適用できる。
【図面の簡単な説明】
【００６６】
【図１】この発明の一実施形態における撮影管理領域を示す略線図である。
【図２】この発明の一実施形態における撮影管理機器から撮影機器に送信される撮影管理領域通達信号を示す略線図である。
【図３】この発明の一実施形態における撮影管理機器の構成を示すブロック図である。
【図４】この発明の一実施形態における撮影機器の構成を示すブロック図である。
【図５】この発明の一実施形態における撮影機器と撮影管理機器の通信関係を示す略線図である。
【図６】この発明の一実施形態における撮影許可申請コマンドと撮影可否レスポンスを示す略線図である。
【図７】この発明の一実施形態における記録媒体を利用した通信関係を示す略線図である。
【図８】この発明の一実施形態における撮影管理機器から撮影機器に送信される情報を示す略線図である。
【符号の説明】
【００６７】
１            撮影管理領域
１０          撮影管理機器
１１          撮影機器
３２、５０    撮影管理コントローラ
５４          外部記録媒体
【図１】
2006121287.tif 000003
【図２】
2006121287.tif 000004
【図３】
2006121287.tif 000005
【図４】
2006121287.tif 000006
【図５】
2006121287.tif 000007
【図６】
2006121287.tif 000008
【図７】
2006121287.tif 000009
【図８】
2006121287.tif 000010